(57)【要約】      （修正有）【課題】部品の共通化を図ることにより、種類の異なるシーソースイッチを同一部品で製作することができ、それにより組み立て部品点数や組み立て工数を低減したシーソースイッチの構造を提供する。【解決手段】スイッチ操作部材２の摺動体６にボール８、バネ９を取り付ける略円形の孔を複数設け、略円形の孔の左右両端に可動接点１１を取り付ける略長方形の孔を複数設ける。また、作動板１５には、スイッチ操作部材２の揺動を係止する係止孔を複数設け、さらに回路基板３０には、可動接点１１の揺動に合わせ、固定接点を複数設けることにより同一部品で複数種類のスイッチを製作、変更することができる。【選択図】図１
0003186335.tif 000002
【実用新案登録請求の範囲】
【請求項１】
建設用、農業用二輪車や四輪車などのメインスイッチやスタータースイッチ、ライトスイッチなど電気の切り替えに使われ、真ん中に支点があり、両端に押片部があるシーソー型において、該支点から下方に向かって該押片部の揺動に連動する摺動体を該押片部と一体化させたスイッチ操作部材を設け、該摺動体では、該押片部が揺動する方向に平行な面にボール、バネを取り付ける略円形の孔と可動接点を取り付ける略長方形の孔を複数設け、該ボールを係止する係止孔を作動板に複数設けることを特徴とするシーソースイッチの構造。
【請求項２】
前記摺動体に取り付けた前記可動接点に対向する位置に固定接点を回路基板に複数設け、また、前記可動接点と接しない該固定接点の面に導線を取り付けるようにすることを特徴とする請求項１に記載のシーソースイッチの構造。
【考案の詳細な説明】
【技術分野】
【０００１】  本考案は、建設用、農業用二輪車や四輪車などのメインスイッチやスタータースイッチ、ライトスイッチなど電気の切り替えに使われるシーソースイッチの構造に関するものである。
【背景技術】
【０００２】  従来のシーソースイッチには、特開平９−１６１６１４号公報に開示されているように、真ん中に支点があり、両端に押片部があるシーソー型となっており、この押片部に連動して動く可動接点を設け、この可動接点と対向する位置に固定接点を設けた構造がある。
【先行技術文献】
【特許文献】
【０００３】
【特許文献１】特開平９−１６１６１４号公報
【考案の概要】
【考案が解決しようとする課題】
【０００４】  上記のような従来のシーソースイッチは、多くの部品から組み立てられているが、例えば、上記のような可動接点と固定接点の位置を変更させた異なったスイッチを組み立てる場合は、部品を作り直す必要がある。このため、組み立て部品点数や組み立て工数が増えてコスト高になる場合がある。【０００５】  本考案では、部品を共通化するための工夫（部品同士を取り付ける孔を複数個設けるなど）をすることによって上記課題を解決するものである。
【課題を解決するための手段】
【０００６】  上記の課題を解決するため、本考案は、建設用、農業用二輪車や四輪車などのメインスイッチやスタータースイッチ、ライトスイッチなど電気の切り替えに使われ、真ん中に支点があり、両端に押片部があるシーソー型において、該支点から下方に向かって該押片部の揺動に連動する摺動体を該押片部と一体化させたスイッチ操作部材を設け、該摺動体では、該押片部が揺動する方向に平行な面にボール、バネを取り付ける略円形の孔と可動接点を取り付ける略長方形の孔を複数設け、該ボールを係止する係止孔を作動板に複数設ける。【０００７】  前記摺動体に取り付けた前記可動接点に対向する位置に固定接点を回路基板に複数設け、また、前記可動接点と接しない該固定接点の面に導線を取り付けるようにする。
【考案の効果】
【０００８】  上記の説明から明らかなように、本考案にあっては次に列挙する効果が得られる。
（１）ボールとバネを取り付ける略円形の孔と可動接点を取り付ける略長方形の孔を摺動体に複数設けることで、ボール、バネと可動接点の取り付け位置を変更することができ、作動板においてはボールを係止するための係止孔を複数設けることでスイッチ操作部材の係止位置を変更することができる。
（２）可動接点の取り付け位置に合わせて固定接点を回路基板に複数設け、また、可動接点と接しない固定接点の面に導線を取り付けるようにすることで、シーソースイッチの電気切り替えを変更することができる。
したがって、種類の異なるシーソースイッチを同一部品で製作、変更することができる。
【図面の簡単な説明】
【０００９】
【図１】本考案に係るシーソースイッチの分解斜視図
【図２】作動板１５の背面図
【図３】実施例１における回路基板３０の正面図
【図４】ボディ１を被せていない実施例１の背面図
【図５】実施例２における回路基板３０の正面図
【図６】ボディ１を被せていない実施例２の背面図
【考案を実施するための形態】
【００１０】  以下、本考案の実施の形態を以下に示す。
【実施例１】
【００１１】  本考案に係るシーソースイッチの分解斜視図を図１（ａ）、（ｂ）に示す。【００１２】  図１（ａ）より１は本考案に係るシーソースイッチのボディである。図１（ｂ）より２は本考案に係るシーソースイッチのスイッチ操作部材である。スイッチ操作部材２の上部には、支点となる支持孔３と、支持孔３から両端に押片部４を設ける。【００１３】  また、押片部４の一方の下面に凸部５を設ける。この凸部５は、後述するバネ１３の一端を取り付けるためである。【００１４】  スイッチ操作部材２には、支持孔３から下方に向かって略直方体の摺動体６を押片部４と一体化させる。【００１５】  摺動体６には、押片部４が揺動する方向に平行な面に略円形のボール取り付け孔７ａ〜７ｄを設ける。このボール取り付け孔７ａ〜７ｄはスイッチ操作部材２の操作を係止するためのボール８とバネ９を取り付ける孔である。【００１６】  また、ボール取り付け孔７ａ〜７ｄの両側に略長方形の可動接点取り付け孔１０ａ〜１０ｄを設ける。この可動接点取り付け孔１０ａ〜１０ｄは略コの字型にした本考案に係るシーソースイッチの可動接点１１を取り付ける孔である。【００１７】  さらに、押片部４が揺動する方向に垂直で凸部５を設けた側の摺動体６の面に凹部１２を設ける。この凹部１２は後述する作動板１５に設けたバネ固定用板２８との接触を防ぐためである。【００１８】  図１（ｂ）より１３はバネである。このバネ１３は、凸部５を設けた側の押片部４を操作したとき、操作前の状態に自動復帰させるためであり、バネ１３の一端は凸部５に取り付け、他端は後述するバネ固定用板２８の凸部２９に取り付ける。１４はシャフトであり、支持孔３に挿入され、スイッチ操作部材２の揺動を支持するためである。【００１９】  図１（ｂ）より１５はボール８と係合する係止孔１６ａ、１７ａ〜１７ｂ、１８ａ〜１８ｃ、１９ａ〜１９ｃを設けた作動板である。また、作動板１５には、シャフト１４を通す支持孔２０を設ける。【００２０】  作動板１５の背面図を図２に示す。図２より、１６ａはボール取り付け孔７ａに取り付けたボール８と係合する係止孔であり、１７ａ〜１７ｂはボール取り付け孔７ｂに取り付けたボール８と係合する係止孔であり、１８ａ〜１８ｃはボール取り付け孔７ｃ取り付けたボール８と係合する係止孔であり、１９ａ〜１９ｃはボール取り付け孔７ｄに取り付けたボール８と係合する係止孔である。【００２１】  図１（ｂ）、図２より作動板１５の両端から垂直に略長方形の回路基板固定用板２１を設け、回路基板固定用板２１には略長方形の孔２２を設ける。この孔２２は後述する回路基板２８に設けた凸部３７を嵌め込むためである。また、回路基板固定用板２１から垂直に略長方形のボディ固定用板２３を設け、ボディ固定用板２３には略円形の孔２４を設ける。この孔２４は、ボディ１に作動板１５を固定するためのビス２５を通すためである。【００２２】  回路基板固定用板２１の一方の下面から下方に向かって略長方形の導線固定用板２６を設ける。この導線固定用板２６は後述する固定接点３２ａ〜３２ｃ、３３ａ〜３３ｃ、３４ａ〜３４ｄ、３５ａ〜３５ｄに取り付けられる導線２７を固定するためである。【００２３】  また、凸部５を設け���側の回路基板固定用板２１の上面から、略長方形のバネ固定用板２８を設ける。このバネ固定用板２８は、バネ１３の一端を固定するためである。また、バネ固定板用板２８の上面にバネ１３の一端を取り付ける凸部２９を設ける。【００２４】  図１（ｂ）より３０は本考案に係るシーソースイッチの回路基板である。回路基板３０には固定接点取り付け孔３１を設ける（図３、図５参照）。この固定接点取り付け孔３１は、本考案に係るシーソースイッチの電気切り替えをするための固定接点３２ａ〜３２ｃ、３３ａ〜３３ｃ、３４ａ〜３４ｄ、３５ａ〜３５ｄを取り付けるためである。【００２５】  また、固定接点３２ａ〜３２ｃは可動接点取り付け孔１０ａに取り付けた可動接点１１と対向する位置であり、固定接点３３ａ〜３３ｃは可動接点取り付け孔１０ｂに取り付けた可動接点１１と対向する位置であり、固定接点３４ａ〜３４ｄは可動接点取り付け孔１０ｃに取り付けた可動接点１１と対向する位置であり、固定接点３５ａ〜３５ｄは可動接点取り付け孔１０ｄに取り付けた可動接点１１と対向する位置である。【００２６】  図１（ｂ）より３６はシャフト１４を通す支持孔であり、３７は回路基板３０を回路基板固定用板２１に取り付けるための凸部である。【００２７】  実施例１として、ボール取り付け孔７ａにボール８とバネ９を取り付け、可動接点取り付け孔１０ａに可動接点１１を取り付ける。【００２８】  実施例１における回路基板３０の正面図を図３に示す。固定接点３２ａ〜３２ｃを回路基板３０に取り付け、固定接点３２ｂと３２ｃに導線２７を取り付ける。【００２９】  固定接点３２ａ〜３２ｃと導線２７を取り付けた回路基板３０を回路基板固定用板２１に取り付け、導線２７を導線固定用板２６に固定し、作動板１５と回路基板３０の間にバネ１３とスイッチ操作部材２を設け、支持孔３６、３、２０にシャフト１４を挿通し、ボディ１を上から被せビス２５で固定する。【００３０】  次に動作について、ボディ１を被せていない実施例１の背面図を図４に示し、ＯＦＦ状態を図４（ａ）、ＯＮ状態を図４（ｂ）に示し説明する。図４（ａ）より可動接点１１はバネ９のバネ圧により固定接点３２ａ、３２ｂの２つと接する状態となり、固定接点３２ｂ、３２ｃに取り付けた導線２７は導通していないためＯＦＦ状態となる。このとき、作動板１５に設けた係止孔１６ａ（図２参照）にボール８が係合しているためスイッチ操作部２は図４（ａ）の状態を保持する。【００３１】  図４（ａ）の状態から前記押片部４の一端に矢印Ｆ１方向の押圧操作を行うとボール８はバネ９のバネ圧に反発し係止孔１６ａ（図２参照）を乗り越える。このとき可動接点１１はバネ９のバネ圧により固定接点３２ｂと接しながら固定接点３２ａと離れるように移動し、さらに押圧操作するとスイッチ操作部材２は図４（ｂ）の状態になる。【００３２】  図４（ｂ）より可動接点１１はバネ９のバネ圧により固定接点３２ｂ、３２ｃの２つと接する状態となり、固定接点３２ｂ、３２ｃに取り付けた導線２７は、可動接点１１を通じて導通となるためＯＮ状態となる。【００３３】  また、ボール８は他の係止孔に係合していないため、押片部４にＦ１の押圧操作をやめると、バネ１３のバネ圧に��りスイッチ操作部材２は図４（ａ）の状態に戻る。【００３４】  したがって、押圧操作を行っている間だけＯＮとなり、押圧操作をやめると自動でＯＦＦになるシーソースイッチ装置が製作できる。
【実施例２】
【００３５】  実施例２として、ボール取り付け孔７ｃにボール８とバネ９を取り付け、可動接点取り付け孔１０ｃに可動接点１１を取り付ける。【００３６】  実施例２における回路基板３０の正面図を図５に示す。固定接点３４ａ〜３４ｄを回路基板３０に取り付ける。【００３７】  固定接点３４ｂ、３４ｃ間には、２つの固定接点を共通にするための導電性板３８（以後ジャンパープレートと呼ぶ）を取り付ける（図６参照）。【００３８】  回路基板３０に取り付けた固定接点３４ａ、３４ｃ、３４ｄに導線２７を取り付ける。【００３９】  固定接点３４ａ〜３４ｄと導線２７を取り付けた回路基板３０を回路基板固定用板２１に取り付け、導線２７を導線固定用板２６に固定し、作動板１５と回路基板３０の間にスイッチ操作部材２を設け、支持孔３６，３，２０にシャフト１４を挿通し、ボディ１を上から被せ、ビス２５で固定する。【００４０】  次に動作について、ボディ１を被せていない実施例２の背面図を図６に示し、ＯＦＦ状態を図６（ａ）、ＯＮ状態１を図６（ｂ）、ＯＮ状態２を図６（ｃ）に示し説明する。図６（ａ）より、可動接点１１はバネ９のバネ圧により固定接点３４ｂ、３４ｃの２つと接する状態となるが、２つの固定接点はジャンパープレート３８により共通であり、他の導線２７を取り付けた固定端子３４ａ、３４ｄと接しないためＯＦＦ状態となる。このとき、作動板１５に設けた係止孔１８ｂ（図２参照）にボール８が係合しているためスイッチ操作部材２は図６（ａ）の状態を保持する。【００４１】  図６（ａ）の状態から押片部４に矢印Ｆ２方向の押圧操作を行うと、ボール８はバネ９のバネ圧に反発し係止孔１８ｂ（図２参照）を乗り越える。このとき、可動接点１１はバネ９のバネ圧により固定接点３４ｃと接しながら固定接点３４ｂと離れるように移動する。さらに押圧操作をすると、係止孔１８ｃ（図２参照）にボール８が係合し、スイッチ操作部材２は図６（ｂ）の状態を保持する。【００４２】  図６（ｂ）より、可動接点１１はバネ９のバネ圧により固定接点３４ｃ、３４ｄの２つと接する状態となり、固定接点３４ｃ、３４ｄに取り付けた導線２７は可動接点１１通じて導通となるためＯＮ１状態となる。【００４３】  また、図６（ａ）の状態から押片部４に矢印Ｆ３方向の押圧操作を行うと、ボール８はバネ９のバネ圧に反発し係止孔１８ｂ（図２参照）を乗り越える。このとき、可動接点１１はバネ９のバネ圧により固定接点３４ｂと接しながら固定接点３４ｃと離れるように移動する。さらに押圧操作すると、係止孔１８ａ（図２参照）にボール８が係合し、スイッチ操作部材２は図６（ｃ）の状態を保持する。【００４４】  図６（ｃ）より、可動接点１１はバネ９のバネ圧により固定接点３４ａ、３４ｂの２つと接する状態となり、固定接点３４ａ、３４ｃに取り付けた導線２７は可動接点１１とジャンパープレート３８を通じて導通となるＯＮ２状態となる。【００４５】  これにより、中間位置ではＯＦＦとなり、どちらか一方の押片部４を操作するとＯＮになるシーソースイッチ装置が製作できる。【００４６】  本考案は上記２種類の動作をするシーソースイッチを述べているが、これに限らず、作動板１５に設けた係止孔の数や位置、導線２７の数や取り付け位置などを変更することで、上記２種類以外の動作をするシーソースイッチが作製可能である。
【符号の説明】１  …  ボディ
２  …  スイッチ操作部材
３  …  支持孔
４  …  押片部
５  …  凸部
６  …  作動体
７ａ〜７ｄ  …  ボール取り付け孔
８  …  ボール
９  …  バネ
１０ａ〜１０ｄ  …  可動接点取り付け孔
１１  …  可動接点
１２  …  凹部
１３  …  バネ
１４  …  シャフト
１５  …  作動板
１６ａ  …  係止孔
１７ａ〜１７ｂ  …  係止孔
１８ａ〜１８ｃ  …  係止孔
１９ａ〜１９ｃ  …  係止孔
２０  …  支持孔
２１  …  回路基板固定用板
２２  …  孔
２３  …  ボディ固定用板
２４  …  孔
２５  …  ビス
２６  …  導線固定用板
２７  …  導線
２８  …  バネ固定用板
２９  …  凸部
３０  …  回路基板
３１  …  固定接点取り付け孔
３２ａ〜３２ｃ  …  固定接点
３３ａ〜３３ｄ  …  固定接点
３４ａ〜３４ｄ  …  固定接点
３５ａ〜３５ｄ  …  固定接点
３６  …  支持孔
３７  …  凸部
３８  …  ジャンパープレート
【図１】
0003186335.tif 000003
【図２】
0003186335.tif 000004
【図３】
0003186335.tif 000005
【図４】
0003186335.tif 000006
【図５】
0003186335.tif 000007
【図６】
0003186335.tif 000008